Podtech/llm-jp-corpus-v4-ja_patent huggingface dataset:
(57)【要約】
【課題】  低反発性の素材を伸縮性の布で覆って、ブロック玩具を形成し、握るとよく窪み、手に馴染んで掴み易く、ショックをよく吸収して和らげるので安全であり、また、枕代わりにしたり、椅子等の座席や肘掛け等で体の接触する所の当て材としてせ使用できるブロック玩具を提供する。
【解決手段】  柔軟性があり、弾性で低反発性の合成樹脂製で、プレート状、柱状、球状、人形形状、その他の形状の立体１の表面を伸縮性のある布地２で覆ってブロック玩具３を形成する。
布地は、ツーウエイの布地が好ましい。
布地２で立体１の覆い方は限定しないが、その方法の１つとして、ファスナー等係止具を開口に取付けた袋に立体１を収納する。
【選択図】    図１
0003100696.tif 000002
【実用新案登録請求の範囲】
【請求項１】
柔軟性があり、弾性で低反発性の合成樹脂製で、プレート状、柱状、球状、人形形状、その他の形状の立体の表面を、伸縮性のある布地で覆ってなるブロック玩具。
【請求項２】
柔軟性があり、弾性で低反発性の合成樹脂製で、プレート状、柱状、球状、人形形状、その他の形状の立体を伸縮性のある布製の袋に入れ、該袋の開口を係止具で開閉自在に閉じて、該袋で前記立体の表面を覆ってなるブロック玩具。
【請求項３】
柔軟性があり、弾性で低反発性の合成樹脂製で、プレート状、柱状、球状、人形形状、その他の形状の立体を伸縮性のある布製の袋に入れ、該袋の開口の縁部を互いに接着するか、または、縁部を前記立体の表面に接着して、該袋で前記立体の表面を覆ってなるブロック玩具。
【考案の詳細な説明】
【技術分野】
【０００１】
この考案は、反発反応が遅い弾性の合成樹脂製のブロックを伸縮性の布で覆った積み木、人形、その他のブロック玩具（以下これらをブロック玩具と言う）に関するものである。
【背景技術】
【０００２】
従来の木または硬い合成樹脂よりなるブロック玩具は、硬いので、幼児等がその上に倒れたり、投げ合って当たったりすると、怪我をし易い。そこで、合成樹脂製ブロックを布で覆ったものがある。（特許文献１参照）
【特許文献１】実用新案登録第３０７１７４２号公報（請求項、０００７、００２２）
【考案の開示】
【考案が解決しようとする課題】
【０００３】
特許文献１に記載のブロックについては、ブロックを布で覆ったことの効果が記載されていない。想像すれば、接触感覚を穏やかにするためであると思う。
しかし、木や合成樹脂を布で覆っても、中の木または合成樹脂が硬いので、ブロック玩具の上に倒れると頭、腕、足等を怪我をするおそれがある。
覆ったブロック玩具の布は、伸縮性に乏しく、中の素材が硬いので、手で握っても手になじまず、幼児では持ちにくい。
【０００４】
この考案は、中の素材が柔軟、低反発性で外を覆う布が伸縮性に富んでいるので、握ると良く凹み、手になじんで掴みやすく、低反発性でショックを吸収し和らげるので安全であり、また、枕代わりにしたり、椅子等の座席や肘掛け等で体の接触するところの当て材としても使用できるブロック玩具を提供することを目的とする。
【課題を解決するための手段】
【０００５】
柔軟性があり、弾性で低反発性の合成樹脂製で、プレート状、柱状、球状、人形形状、その他の形状の立体の表面を、伸縮性のある布地で覆ってブロック玩具を形成する。
【０００６】
柔軟性があり、弾性で低反発性の合成樹脂製で、プレート状、柱状、球状、人形形状、その他の形状の立体を伸縮性のある布製の袋に入れ、該袋の開口を係止具で開閉自在に閉じて該袋で前記立体の表面を覆ってブロック玩具を形成する。
【０００７】
柔軟性があり、弾性で低反発性の合成樹脂製で、プレート状、柱状、球状、人形形状、その他の形状の立体を伸縮性のある布製の袋に入れ、該袋の開口の縁部を互いに接着するか、または、縁部を前記立体の表面に接着して、該袋で前記立体の表面を覆ってブロック玩具を形成する。
【考案の効果】
【０００８】
この考案に係るブロック玩具は、中の素材が柔軟、低反発性があり、ショックを吸収してやわらげ、外を覆う布が伸縮製に富んでいるので、握ると良く凹み、手になじむので、幼児や身体障害者でも掴みやすい。
幼児等がブロック玩具の上に倒れても、または、ブロック玩具が投げられて頭等体にあたっても、布地が伸びて中の立体が窪み、立体が低反発性のためショックを吸収してやわらげるので、痛くなく、怪我をする恐れがない。
また、伸縮性、柔軟性がよいので、枕代わりにしたり、床擦れの当てや椅子等の座席や肘賭等で体の接触するところの当て材としても使用できる。
ブロック玩具の表面を覆う布をツーウエイの布とする場合は、肌ざわりが非常に柔らかく、非常に心地好く感じ、心の癒しになる。
【考案を実施するための最良の形態】
【０００９】
ウレタンフォーム等の合成樹脂で、柔軟性があり、弾性で低反発性の素材で、プレート状、柱状、球状、人形形状、その他の形状の立体１の表面を、伸縮性の布地２で覆い、ブロック玩具３を形成する。
【００１０】
布地２は、一般にツーウエイ（２ｗａｙ」またはフリーウエイ（ｆｒｅｅｗａｙ）といわれる布地を用いると、二方向または四方八方によく伸縮し、かつ、肌触りがよく、ふわっとして心地よいので好ましい。
【００１１】
立体１の表面を布地２で覆う方法は限定しないが、開口部にファスナー４やホック等の係止手段を設けた布地２製の袋５を用いるのが好ましい。この袋５の容積は、立体１の体積よりも少々小さくすることにより、立体１を袋５内に収納して係止手段で開口を閉じると、布地２が少し伸びて立体１に密着して覆う。
【００１２】
袋５の開口は、開口縁部を互いに接着して閉じてもよく、または、開口縁部を立体１の表面に接着して閉じてもよい。
【図面の簡単な説明】
【００１３】
【図１】ブロック玩具の要部断面図である。
【図２】ブロック玩具の斜視図である。
【符号の説明】
【００１４】
１  立体
２  布地
３  ブロック玩具
４  ファスナー
５  袋
【図１】
0003100696.tif 000003
【図２】
0003100696.tif 000004
(57)【要約】      （修正有）【課題】時計バンドの先端部内に設置される合成樹脂製のワニ口パーツを安定且つ確実に固定し得る高品質の皮革製時計バンドの提供。【解決手段】時計バンドの先端部内に設置したワニ口パーツ３に、上面から裏面にかけて貫通する係合孔４を穿設し、係合孔に時計バンド内の芯材２の先端を挿入してワニ口パーツの裏面で折返し、この折返部分を芯材の裏側に接着固定するようにした。【選択図】図１
0003100690.tif 000002
【実用新案登録請求の範囲】
【請求項１】
皮革性バンド１の先端部内に設置されるワニ口パーツ３に上面から裏面にかけて貫通する係合孔４を穿設し、該係合孔４に前記皮革製バンド１内の芯材２の先端を挿入してワニ口パーツ３の裏面で折返し、該折返部分を前記芯材２の裏側に接着固定するようにした皮革製時計バンド。
【請求項２】
前記ワニ口パーツ３の両側に設けた突片５に前記皮革製バンド１における表皮１ａの先方部両側に設けた接片ａを接着固定するようにした請求項１記載の皮革製時計バンド。
【請求項３】
前記ワニ口パーツ３は、時計ケース寄りの先端面にＬ型の切欠段部６と下部に凸片７があり、前記切欠段部６に前記表皮１ａの先端の折曲片ｂを、凸片７に前記裏皮１ｂの先端の折曲片ｃを夫々接着固定するようにした請求項１記載の皮革製時計バンド。
【考案の詳細な説明】
【技術分野】
【０００１】  本考案は、バンドの内部に設置するワニ口パーツを確実且つ堅固に固定し得る堅牢な皮革製時計バンドに関するものである。
【背景技術】
【０００２】  皮革製時計バンドにおいて、バンドの先端部内に樹脂製のワニ口パーツを設置することは従来周知であるが、このワニ口パーツをバンド内にしっかり固定させることが技術的に非常に難しく、ワニ口パーツの固定如何がバンドの品質に極めて重要な影響を及ぼすものであった。  このワニ口パーツの固定手段として実用新案登録第３０４４７６７号公報に開示去れているが、これは、ワニ口パーツに芯材を接着剤で固定する手段をとっており、この方法によると、永年の使用により接着面が剥離したりする弊害があり、堅牢で高品質の皮革製時計バンドを得ることが極めて困難であった。
【考案の開示】
【考案が解決しようとする課題】
【０００３】  本考案は、前記従来の欠点を一掃するために開発されたもので、ワニ口パーツに係合孔を設け、この係合孔にバンドの芯材の一端を結着することによってワニ口パーツをしっかり固定することが可能となり、堅牢で高品質の皮革製時計バンドを提供しようとするものである。
【課題を解決するための手段】
【０００４】  本考案は、前記の目的を達成する手段として、ワニ口パーツに係合孔を設け、この係合孔にバンドの芯材の一端を挿入してその折返部分を芯材の裏側に接着固定する構成と、前記ワニ口パーツの両側に設けた突片にバンドの表皮に形成した接片を接着し、更に、ワニ口パーツは、時計ケース寄りの先端面にＬ型の切欠段部と凸片があり、切欠段部に表皮先端折曲片を、凸片に裏皮に形成した折曲片を夫々接着固定するようにした点に特徴を有する。
【考案の効果】
【０００５】  本考案の時計バンドは、ワニ口パーツの上面から裏面にかけて貫通する係合孔にバンドの芯材の一端を通してその折返部分を芯材の裏側に接着固定したので、ワニ口パーツをバンド内でしっかり固定することが可能となり、永年の使用にたいしてもワニ口パーツと芯材の離反がなく、堅牢で高品質の製品が得られ、加えて、バンドの表皮の先方部にある接片がワニ口パーツの突片に接着固定し、且つワニ口パーツの先端に形成した切欠段部に表皮先端の折曲片を、ワニ口パーツの先端下部に突出する凸片に裏皮先端の折曲片を夫々接着固定するようにしたので、ワニ口パーツの位置ずれがなく前記の効果を一段と高め得る品質良好な皮革製時計バンドを提供することができる利点を有するものである。
【考案を実施するための最良の形態】
【０００６】  本考案の時計バンドは、バンド本体を皮革（合成皮革を含む）製とし、ワニ口パーツを合成樹脂製とすることが最も望ましく、バンド本体は、皮革に替えて厚手の良質な布製とすることも可能である。
【実施例１】  本考案の具体的な構成を図にもとづいて説明すると、図１は本考案の要部を示す断面図、図２は時計ケースへの取付状況を示す斜視図、図３は時計バンドの分解部品斜視図、図４はワニ口パーツの平面図、図５はワニ口パーツの側面図である。【０００７】  皮革製バンド１は、表皮１ａと裏皮１ｂによって構成され、表皮１ａには先方部両側に接片ａと先端部に下向きに屈曲する折曲片ｂがあり、又、裏皮１ｂの先端部には上向きに屈曲する折曲片ｃが形成されている。【０００８】  次に、前記時計バンド１の先端部内に設置される合成樹脂製のワニ口パーツ３は、中央部に上面から裏面に貫通する係合孔４が穿設してあり、且つ後部両端に突片５があり、時計ケース寄りの先端部にはＬ型の切欠段部６と凸片７があり、また両側には下向きに開口する逆Ｕ字状の切欠部８とこれに連通するピン孔９が形成されている。【０００９】  而して、皮革製バンド１の先端部内に設置されるワニ口パーツ３の係合孔４にバンド内に固定される芯材２の先方部を上面から裏面に挿入してこれをワニ口パーツ３の裏側で折返し、この折返部分を芯材２の裏面に接着剤で固定し、又、皮革製バンド１の表皮１ａの接片ａをワニ口パーツ３の突片５に接着固定すると共に、表皮１ａの折曲片ｂを前記Ｌ型の切欠段部６に、裏皮１ｂの折曲片ｃを前記凸片７に夫々接着固定するようにした。
【産業上の利用可能性】
【００１０】  本考案に係る時計バンドは、ワニ口パーツ３を固定する手段としてワニ口パーツ３の係合孔４に芯材２を通してこの折返部分を該芯材２の裏側に接着固定し、しかも、表皮１ａの接片ａをワニ口パーツ３の突片５に、又、表皮１ａの先端折曲片ｂをワニ口パーツ３の切欠段部６に、裏皮１ｂの先端折曲片ｃを凸片７に夫々接着固定したので、ワニ口パーツ３はバンド内でしっかり固定されて位置ずれ等の心配は全くなく、耐久性に富んだ高品質の時計バンドが得られ、この技術は時計バンドに限らず皮革製のベルトにも転用することが可能である。
【図面の簡単な説明】
【００１１】
【図１】本考案の要部を示す断面図である。
【図２】時計ケースへの取付状況を示す斜視図である。
【図３】時計バンドの分解部品斜視図である。
【図４】ワニ口パーツの斜視図である。
【図５】ワニ口パーツの側面図である。
【符号の説明】
【００１２】  １  皮革製バンド  ２  芯材  ３  ワニ口パーツ  ４  係合孔  ５  突片  ６  切欠段部  ７  凸片
【図１】
0003100690.tif 000003
【図２】
0003100690.tif 000004
【図３】
0003100690.tif 000005
【図４】
0003100690.tif 000006
【図５】
0003100690.tif 000007
(57)【要約】      （修正有）【課題】皮革製時計バンドの内部に設置するワニロパーツをしっかり固定し、耐久性に富んだ品質良好な時計バンドの提供。【解決手段】バンド内に補助芯材４を設置し、ワニロパーツ３の両側に設けた突軸５に前記補助芯材の先端部を結着してバンド内にワニロパーツを安定且つ確実に固定するようにした。【選択図】図１
0003100689.tif 000002
【実用新案登録請求の範囲】
【請求項１】
表皮１ａと裏皮１ｂからなる皮革製バンド１と、該バンド１内に設置した芯材２と、前記バンド１の先端部内に設置したワニロパーツ３とからなる構成に於いて、前記バンド１内における前記芯材２の両側に補助芯材４を装填し、該補助芯材４の先端を前記ワニロパーツ３の両側に設けた突軸５に掛合してその折返部分を該補助芯材４の裏面に接着固定するようにした皮革製時計バンド。
【請求項２】
前記表皮１ａの先方部両側には接合片ａがあり、この接合片ａを前記突軸５に接着固定してなる請求項１記載の皮革製時計バンド。
【請求項３】
前記ワニロパーツ３の先端面にＬ型の段差部６と凸片７を形成し、前記表皮１ａの先端に設けた下向きの折曲片ｂを前記段差部６に、また、前記裏皮１ｂの先端に形成した上向きの折曲片ｃを前記凸片７に夫々接着固定してなる請求項１記載の皮革製時計バンド。
【考案の詳細な説明】
【技術分野】
【０００１】  本考案は、バンドの内部に設置するワニロパーツをしっかり固定し得る堅牢で高品質の時計バンドに関するものである。
【背景技術】
【０００２】  皮革製時計バンドに於いて、バンドの先端部内にワニロパーツを設置することは従来から行なわれている処であるが、このワニロパーツをバンド内にしっかり固定させることは非常に難しく、ワニロパーツの固定如何がバンドの品質に極めて重要な影響を及ぼすものである。【０００３】  このワニロパーツの固定手段として実用新案登録第３０４４７６７号に開示されている技術が知られているが、この方法はワニロパーツの背面に芯材を接着し所謂面接着によるものであって、充分な接着効果が得られず永年の使用により接着面が剥離したりする弊害があり、堅牢で高品質の製品を得ることが極めて困難である。
【考案の開示】
【考案が解決しようとする課題】
【０００４】  本考案は、前記従来の欠点を一掃するために創作されたもので、ワニロパーツの両側に突軸を設け、この突軸にバンド内に設置固定された補助芯材を結着することによってワニロパーツをしっかり固定し、耐久性に富む高品質の時計バンドを提供しようとするものである。
【課題を解決するための手段】
【０００５】  本考案は、前記の目的を達成する手段として、ワニロパーツの両側に設けた突軸に、バンド内で固定されている補助芯材の先端を結着し、又、バンドの表皮の先方部両側に設けた接合片を前記突軸に固定し、更に、ワニロパーツの先端面にＬ型の段差部と凸片を形成し、バンドの表皮の先端折曲片を前記段差部に、又、裏皮の先端折曲部を前記凸片に夫々接着固定するようにした。
【考案の効果】
【０００６】  本考案の時計バンドは、バンド内に固定されている補助芯材の先端をワニロパーツの両側に突出する突軸に掛合してその折返部分を補助芯材の裏面に接着固定し、且つ、バンドの表皮の先方部両側に設けた接合片を前記突軸に接着し、更に、ワニロパーツの先端段差部に表皮の先端折曲部を、凸片に裏皮の先端折曲部を夫々接着固定したのでワニロパーツはバンド内で安定且つ確実に固定されて位置ずれ等の心配が全くなく耐久性に富んだ高品質の時計バンドが得られる利点を有するものである。
【考案を実施するための最良の形態】
【０００７】  本考案の時計バンドは、バンド本体を皮革性（合成皮革を含む）とし、ワニロパーツを合成樹脂製とすることが最も望ましく、また、バンド本体は厚手の良質な布製とすることも可能である。
【実施例１】
【０００８】  本考案の具体的な構成を図にもとづいて説明すると、皮革製バント１は、表皮１ａと裏皮１ｂとからなり、内部に芯材２と該芯材２の両側に細長の補助芯材４が設置されており、前記バンド１の先端部内には合成樹脂製のワニロパーツ３が埋設されている。【０００９】  前記ワニロバーツ３は、後方部両側に短寸の突軸５が突出し、この突軸５に前記補助芯材４の先端部を掛合してその折返部分を補助芯材４の裏面に接着固定する。
次に、ワニロパーツ３は、時計ケース寄りの先端面にＬ型の段差部６と凸片７があり、前記バンド１の表皮１ａの先端に形成した下向きの折曲片ｂを前記段差部に、裏皮１ｂの先端に形成した上向きの折曲片ｃを前記凸片７に夫々接着固定するようにした。【００１０】  而して、ワニロパーツ３は、補助芯材４と表皮１ａ及び裏皮１ｂによってしっかり保持され、バンド１内で位置ずれ等がなく、安定且つ確実に固定されるようになる。
【産業上の利用可能性】
【００１１】  本考案に係る時計バンドは、従来困難を極めたワニロパーツの固定を確実に達成し得るものであって、耐久性に富んだ品質良好な皮革製時計バンドが得られ、しかも、コスト面も従来品と変わりなく量産に適し需要者に貢献するところ極めて大である。
【図面の簡単な説明】
【００１２】
【図１】  本考案に係る時計バンドの要部を示す断面図である。
【図２】  時計バンドの取付状況を示す斜視図である。
【図３】  時計バンドの分解部品斜視図である。
【図４】  ワニロパーツの平面図である。
【図５】  ワニロパーツの側面図である。
【符号の説明】
【００１３】１  皮革製バンド
２  芯材
３  ワニロパーツ
４  補助芯材
５  突軸
６  段差部
７  凸片
【図１】
0003100689.tif 000003
【図２】
0003100689.tif 000004
【図３】
0003100689.tif 000005
【図４】
0003100689.tif 000006
【図５】
0003100689.tif 000007
(57)【要約】
【課題】  本考案は皮むき器と手が一体となるようにし、押す方向への単純な動きだけでリンゴ等の皮を片手で簡単に薄くむくことができる。
【解決手段】  本考案は皮むき器本体１に突起２を設け、その突起２を人差し指と中指ではさむことで手と皮むき器が一体となり、さらに刃３を通常の皮むき器とは逆方向に取り付けることにより押す方向で皮がむけ、片手での皮をむくという作業を簡単にした。
【選択図】  図１
0003101107.tif 000002
【実用新案登録請求の範囲】
【請求項１】
ピーラー（皮むき器）本体に手と一体となるように突起を設け、さらに通常のピーラー（皮むき器）とは逆方向に刃を装着することで、押す方向への手の動きだけで皮をむくことができるため、片手でも簡単に薄く皮をむくことができることを特徴とするピーラー（皮むき器）。
【考案の詳細な説明】
【０００１】  本考案は、手を固定させるための突起を設け、さらに刃の向きを通常のものとは逆に装着した、皮むき器に関するものである。
【背景技術】
【０００２】  例えば、通常リンゴの皮をむくとき、片手でリンゴを持ち、もう一方の手でナイフもしくはピーラー（皮むき器）を使ってむいていた。
【考案の開示】
【考案が解決しようとする課題】
【０００３】  皮をむくという単純な作業も、けがや障害などにより片手が不自由な場合は大変困難な作業となる。そこで皮むき器に手を固定するための突起をつけ、刃を通常のものとは逆に装着することにより、片手の単純な動きだけで皮をむくという作業を可能にしようとするものである。
【問題を解決するための手段】
【０００４】  本考案は、ピーラー（皮むき器）と手が一体となるように突起を設け、さらに通常のピーラー（皮むき器）とは逆方向に刃を装着することで、押す方向に動かすことで皮がむけるため、片手でも簡単に薄く皮をむくことができる。
【考案の効果】
【０００５】    上述の様に、本考案の片手の動きだけで皮のむける皮むき器は、皮むき器の突起に手を引っ掛けるようなかたちで手を固定でき、その手をリンゴ等果物に沿って押さえ込みながら動かすことによって片手でも容易に皮をむくことができる。また、突起を皮むき器の真ん中に設けてあるため左右どちらの手でも同じ作業が可能である。
【考案を実施するための最良の形態】
【０００６】  皮むき器の背の突起を人差し指と中指ではさみ、リンゴ等果物の頭頂部に軽く押し当て、そのまま下方向に移動させることにより皮がむける。また、このとき手全体でリンゴ等果物を包み込むような状態になるため、安定して作業することができる。
【実施例】
【０００７】  以下、添付図面に従って一実施例を説明する。１は２ミリから３ミリ厚の耐久性のプラスチック等適宜素材にて形成された皮むき器本体、２は手と皮むき器本体を程よく固定するために皮むき器本体の背の部分に設けた突起、３は押す方向で皮をむくために通常とは逆の方向に装着した刃である。【０００８】  本考案の一実施例は上述の如き構成からなるものであるから、左右どちらの手であっても、突起部分２を人差し指と中指ではさみ、リンゴ等果物の頭頂部に刃３を軽く押し当て、そのまま下方向に移動させることで皮がむける、この動作の繰り返しで片手でもリンゴ等果物を丸ごと一個のまま皮をむくことが可能である。
【図面の簡単な説明】
【０００９】
【図１】本考案の片手で皮のむける皮むき器の一実施例を示す側面図である。
【図２】本皮むき器の正面図である。
【図３】本皮むき器の具体的使用例のスケッチ図である。
【図４】本皮むき器の具体的使用例のスケッチ図である。
【符号の説明】
【００１０】１  皮むき器本体
２  突起部分
３  刃
【図１】
0003101107.tif 000003
【図２】
0003101107.tif 000004
【図３】
0003101107.tif 000005
【図４】
0003101107.tif 000006
(57)【要約】
【課題】    室内に進入したゴキブリや蜘蛛などの害虫を駆除する際に、至近距離での殺虫剤噴射の恐怖感、死んだ害虫をティッシュ等に包み除去する時の不快な思いや、不衛生であるなどで害虫駆除は不快感であった。
【解決手段】    本考案は本体１にある殺虫剤格納ボックス５に殺虫剤をセットし使用する。長く伸びた本体１の先端部に捕獲網２と延長ノズル７により延長された殺虫剤噴出口３を設け、殺虫剤噴射と捕獲網の開閉の各操作をグリップ４手元にある二つのレバー２ａと３ａを引くことにより遠隔操作し、殺虫剤遠隔噴射と死んだ害虫の捕獲除去を遠隔操作で行い不快な思いをすることなく害虫を殺虫除去する。
【選択図】    図１
0003101104.tif 000002
【実用新案登録請求の範囲】
【請求項１】
長く伸びた本体に殺虫剤を装着し害虫に対して遠隔操作にて殺虫剤を噴射し遠隔操作にて害虫等を捕獲する装置として、殺虫剤を遠距離噴射出来るようにノズルを延長し、尚且つノズル先端部付近に開閉式捕獲網を設け、この機能操作を本体のグリップ部分にある２つレバーにより捕獲網開閉と殺虫剤噴射を必要に応じてレバーを使い分け、殺虫剤遠隔噴射と害虫遠隔捕獲除去を特徴とする捕獲機能付き殺虫剤遠隔噴射機。
【考案の詳細な説明】
【技術分野】
【０００１】  本考案は、殺虫剤の遠隔操作による噴射及び害虫を遠隔操作にて捕獲する装置を設けた、殺虫剤に装着する装置に関するものである。
【背景技術】
【０００２】  ゴキブリなどの害虫を駆除する際、至近距離で殺虫剤を噴射したあと害虫の死骸を塵取りに入れたりティッシュに包むなどをして捕獲しゴミ箱等に除去していた。
【考案の開示】
【考案が解決しようとする課題】
【０００３】  ゴキブリなどの害虫駆除にあたり、至近距離での殺虫剤噴射の恐怖感及び害虫の死骸除去作業時の不快な思いを遠隔操作により解決しようとするものである。
【課題を解決するための手段】
【０００４】  本考案は、殺虫剤に装着し害虫に対して遠距離にて殺虫剤を噴射し遠距離にて捕獲する装置として、殺虫剤を遠隔噴射出来るようにノズルを延長し、尚且つノズル先端部付近に開閉式捕獲網を設け、この機能を本装置を握るグリップ部分に捕獲と殺虫剤噴射を操作する２つレバーにより操作する。必要に応じてレバーを使い分け、殺虫剤遠隔噴射と害虫捕獲を遠隔操作で行う事により問題点を解決している。
【考案の効果】
【０００５】  上述の様に、本考案の害虫捕獲機能付き殺虫剤遠隔噴射機は、ゴキブリ等の害虫を遠隔操作にて殺虫剤の噴射や捕獲除去作業が不快な思いをすることなく完遂することは勿論、本装置にて殺虫と捕獲除去の両作業が行える。
【考案を実施するための最良の形態】
【０００６】  本装置の２つのレバーにより各機能を操作する。グリップ上部にあるレバーは親指で押し殺虫剤を延長されたノズルの先端から噴射する。グリップを握り人差し指の所に位置するレバーは引くと本体先端部の開いている捕獲網が閉じるようになっているため、捕獲と開放が自在に出来る。殺虫剤噴射により死んだ害虫を本装置先端にある捕獲網の開閉をレバー操作で行うことにより、捕獲・除去を可能にする。
【実施例】
【０００７】  以下、添付図面に従って一実施例を説明する。本体１は耐久性のプラスチック等適宣素材にて一体化形成された本体、２は害虫を捕獲するために本体先端部に設けた開閉可動式の捕獲網で、この機能を操作するためのレバーが２ａでこのレバーを引くことにより捕獲網が開閉自在となる。３は通常の殺虫剤の噴射距離を遠距離にするために長く形成された殺虫剤噴射延長ノズル７の先端部で、捕獲網近くに位置し３ａのレバーを押す事により噴射する。【０００８】  ４は本体を持つためのグリップで、近くに各レバー２ａと３ａが設けられているのでグリップを握りながらレバー操作が可能である。５は殺虫剤を装着するための格納ボックスである。本装置は殺虫剤を本体に装着させ使用するものであるため、６は市販の殺虫剤である。【０００９】  本考案の一実施例は上述の如き構成からなるものであるから、殺虫剤が本体に装着されていなくても害虫除去作業に用いることは勿論である。
【図面の簡単な説明】
【００１０】
【図１】本考案の害虫捕獲機能付き殺虫剤遠隔噴射機の一実施例示す正面図である
【図２】本考案を上部から見た図面である
【符号の説明】
【００１１】１    本体
２    捕獲網
２ａ  捕獲網開閉操作レバー
３    殺虫剤噴射口
３ａ  殺虫剤噴射操作レバー
４    グリップ
５    殺虫剤格納ボックス
６    市販の殺虫剤
７    殺虫剤噴出し延長ノズル
【図１】
0003101104.tif 000003
【図２】
0003101104.tif 000004
(57)【要約】      （修正有）【課題】従来のシャツは、シャツに頭を通した後、袖に腕を通す作業がないと着ることができないものであった。その作業を無くし、簡単に着せることができるシャツを提供する。【解決手段】シャツ１の脇下部分から袖の全部にかけて、左右それぞれ開口部２を作り、その開口部２に着脱可能テープ３を取りつけた。【選択図】図１
0003101181.tif 000002
【実用新案登録請求の範囲】
【請求項１】
シャツ（１）の脇下部分から袖の全部にかけて、左右それぞれ開口部（２）を作り、開口部（２）のところを着脱可能テープ（３）で留めることができるシャツ（１）
【考案の詳細な説明】
【考案の詳細な説明】
この考案は、シャツ（１）の脇下部分から袖の全部にかけて、左右それぞれ開口部（２）を作り、その開口部（２）を着脱可能テープ（３）で留めることができるものである。
従来のシャツは、シャツに頭を通した後、袖に腕を通す作業がないと着ることができないものであった。高齢又は病気等で上半身が不自由、又は寝たきりで介護を必要とする人が、シャツを着せてもらう時、袖に腕を通す作業が、困難又は大変な作業であった。
本案はその欠点を除くために考案したもので、それを図面について説明すれば、シャツ（１）の脇下部分から袖の全部にかけて、左右それぞれ開口部（２）を作り、その開口部（２）に着脱可能テープ（３）を取りつける。
本案はこのような構成であるから、高齢又は病気等で上半身が不自由又は寝たきりで介護を必要とする人でも、座った状態なら、頭からシャツ（１）を被せ、腰までシャツを下ろした後は、開口部（２）より肘を先にぬくようにすれば、簡単に腕を被せた服から抜くことができ、後は着脱可能テープ（３）で腕を包むように開口部（２）を留め、さらに脇下の開口部（２）をも留めるだけで簡単に着せることが出来る。
【図面の簡単な説明】
【図１】本案の開口部を開いた状態の斜視図
【符号の説明】
１  シャツ
２  開口部
３  着脱可能テープ
【図１】
0003101181.tif 000003
(57)【要約】      （修正有）【課題】握力の低下している高齢者や手先が不自由なリューマチ患者の場合でも容易に使用できる軟膏塗布具を実現する。【解決手段】棒体１の一端に円柱状のローラー２を回転自在に設けると共に、他端に把持部５を設け、上記把持部５を中心軸線から複数の突体６がひとで状に周側に突出した形状とする。【効果】把持部は中心軸線から複数の突体がひとで状に周側に突出した形状よりなるので、これを掴んだ時に掴むために窄めた手指の各関節の屈曲箇所に各突体端が落ち込んで係止され、把持部が手指の中で不用意に回転することが防止される作用を生じ、握力の低下している高齢者や手先が不自由なリューマチ患者の場合でも正確に塗布具を把持できる。【選択図】図１
0003101185.tif 000002
【実用新案登録請求の範囲】
【請求項１】
棒体の一端に円柱状のローラーを回転自在に設けると共に、他端に把持部を設け、上記把持部は中心軸線から複数の突体がひとで状に周側に突出した形状よりなることを特徴とする軟膏塗布具。
【請求項２】
把持部の突体をコ字状に折曲した棒材により構成し、上記各棒材の両垂線部端同士を接合することにより、突体がひとで状に周側に突出した形状よりなる把持部とした請求項１記載の軟膏塗布具。
【請求項３】
ローラーをシリコン樹脂で成形した請求項１又は２記載の軟膏塗布具。
【考案の詳細な説明】
【技術分野】
【０００１】
この考案は、軟膏を手の届き難い背中などに塗布することを補助するための軟膏塗布具に関する。
【背景技術】
【０００２】
棒体の一端に軟膏を付着させた部材を設け、他端の把持部を持って恰も孫の手のように塗布具を操作することにより上記部材を患部に当てて軟膏を患部に塗布する軟膏塗布具が下記の特許文献に示すように従来提案されている。
【特許文献１】登録実用新案第３０８３８０７号公報
【特許文献２】特開２００２−５８７４９号公報
【特許文献３】特開２０００−３１６９８４号公報
【考案の開示】
【考案が解決しようとする課題】
【０００３】
しかしながら、前記の公知考案においては、握力の低下している高齢者や手先が不自由なリューマチ患者の場合は塗布具の把持部をうまく掴めず、手の中で把持部が回転して軟膏を付着させた部材が患部にうまく当たらないという問題があった。
【課題を解決するための手段】
【０００４】
この考案の軟膏塗布具は以上の従来技術の問題点に鑑みて創作されたものであり、棒体の一端に円柱状のローラーを回転自在に設けると共に、他端に把持部を設け、上記把持部は中心軸線から複数の突体がひとで状に周側に突出した形状よりなることを特徴とする。
【考案の効果】
【０００５】
よって、この考案によれば把持部は中心軸線から複数の突体がひとで状に周側に突出した形状よりなるので、これを掴んだ時に掴むために窄めた手指の各関節の屈曲箇所に各突体端が落ち込んで係止され、把持部が手指の中で不用意に回転することが防止される作用を生じ、握力の低下している高齢者や手先が不自由なリューマチ患者の場合でも正確に塗布具を把持できる効果を奏する。
【０００６】
又、実施例のように把持部の突体をコ字状に折曲した棒材により構成し、上記各棒材の両垂線部端同士を接合することにより、突体がひとで状に周側に突出した形状よりなる把持部とした場合には、棒体と把持部を同一の金属製の棒材で構成することが可能となるの。よって、金型を要するプラスチック製の把持部や木工作業を要する木製の把持部を別途用意する必要がなく、金属加工作業のみで棒体及び把持部を得ることができるので製造コストを軽減できる効果を奏する。
【考案を実施するための最良の形態】
【０００７】
以下、この考案の具体的実施例を添付図面に基づいて説明する。図１はこの考案の塗布具の全体を示す図である。図中符号１は棒体であり、ここでは弾性に富んだ金属製の棒材を緩やかなアーチ状に湾曲させた構成からなる。図中符号２はローラーであり、円柱状の形状からなり、上記の棒体１の一端に回転自在に設けられる。ここでは、上記の棒体１の一端をアーチの腹側に一端下降させて折曲した後、更にＵ字部分を介して直角方向に折曲することにより得られる支持軸３にローラ２を軸支している。図中符号４は支持軸３からのローラー２の離脱を防止するために支持軸端に外嵌されるエンドキャップであり、このエンドキャップを外すことによりローラーは塗布具に対して着脱自在となり、洗浄に便利となる。尚、ローラー２は軟膏を付着させて患部に塗布する作用を果たすが、塗布にあたって軟膏の剥離が容易になるようにシリコン樹脂で成形すると便利である。
【０００８】
図中符号５は棒体１の他端に設けられる把持部である。上記把持部１は中心軸線から複数の突体がひとで状に周側に突出した形状よりなることが要件となるが、ここでは突体６をコ字状に折曲した棒材により構成し、上記各棒材の両垂線部端同士を接合することにより、棒材がひとで状に周側に突出した形状としている（図２参照）。尚、ここでは突体６は５方向に突出するように５本を接合しているが、本数はこれに限定されないことは勿論である。
【０００９】
以上の構成よりなる塗布具は、先ずローラー２に軟膏を付着させ、把持部５を持って恰も孫の手のように塗布具を操作することによりローラーを患部に当て、更に前後動させてローラを回転させることによりローラに付着させた軟膏を患部に塗布する。
【図面の簡単な説明】
【００１０】
【図１】この考案の軟膏塗布具の斜視図。
【図２】同上、要部の拡大斜視図。
【符号の説明】
【００１１】
１        棒体
２        ローラー
５        把持部
６        突体
【図１】
0003101185.tif 000003
【図２】
0003101185.tif 000004
(57)【要約】      （修正有）【課題】男性機能補助のほか、性病の防止機能を具備する電動式男性機能補助リングの提供。【解決手段】電動リングを具え、該電動リングの一端に振動機構が取り付けられ、該振動機構内部に小型モータ、電池及び導電バネ片が取り付けられ、導電バネ片の一端が電池に接続され、もう一端が絶縁片に跨置され並びにモータに未接触とされ、絶縁片の一端の押し棒を内向きに押動することにより絶縁片を導電バネ片より分離させて導電バネ片をモータ側面ケースに接触させて電源を起動して電動リングを振動させる。平時に電動リングを単独で男性陰茎に装着できるほか、コンドームに嵌めて使用することもできる。【選択図】図４
0003101145.tif 000002
【実用新案登録請求の範囲】
【請求項１】
円環状の電動リングを具え、その一端に外向きに突出するように振動機構が設けられ、該振動機構内にモータ、電池及び導電バネ片が設けられ、モータの前縁の回転子は偏心状を呈し、後側が電池の一つの極と接触し、導電バネ片の一端が電池のもう一つの極と接続され、導電バネ片のもう一端が絶縁片に跨置されてモータのケースと未接触とされ、絶縁片の一端の押し棒が内向きに押される時、絶縁片がモータのもう一つの極に接触して電源を起動し、電動リングを振動させるよう形成されたことを特徴とする、電動式男性機能補助リング。
【請求項２】
請求項１記載の電動式男性機能補助リングにおいて、電動リングを単独で、或いはコンドームと組み合わせて使用できることを特徴とする、電動式男性機能補助リング。
【考案の詳細な説明】
【技術分野】
【０００１】
本考案は一種の電動式男性機能補助リングに係り、特にコンドームと組み合わせて使用でき、その振動機構内に小型モータと電池が取り付けられ、使用者が絶縁片を内向きに押動することにより、導電バネ片とモータケースを接触させて、電動リングを振動させて男性機能不全回復機能を達成するほか、性病の予防効果も達成する。
【背景技術】
【０００２】
世界のエイズ患者は青年、壮年が主であり、そのうち１５歳から２０歳の若者が５分の１を占める。台湾では２００３年９月末までに、エイズ患者は３４２２人にも達し、そのうち９割が性行為による感染であり、４割近くの患者が２０歳から２９歳の若者であり、これは性観念の開放にもかかわらず、若者の性に対する知識が正確で成熟したものではないことを示している。現在、関係政府機関は若者向けにエイズ防止の宣伝を行なっており、性行為の前にコンドームを使用することを提唱しているが、宣伝効果は理想的とはいえない。
【考案の開示】
【考案が解決しようとする課題】
【０００３】
本考案の主要な目的は、一種の電動式男性機能補助リングを提供することにあり、それはコンドームと組み合わせて使用でき、電動リングの一端の振動機構内に小型モータ、電池及び導電バネ片が取り付けられ、コンドーム装着時に、絶縁片を内向きに押して、導電バネ片をモータケースに接触させて電源を導通させることで、リングを振動させて、男性機能不全回復機能と共に性病予防の機能を達成するものとする。
【０００４】
本考案のもう一つの目的は、一種の電動式男性機能補助リングを提供することにあり、それは、そのうちの電動リングを単独で男性陰茎に装着して使用することもできるものとする。
【課題を解決するための手段】
【０００５】
請求項１の考案は、円環状の電動リングを具え、その一端に外向きに突出するように振動機構が設けられ、該振動機構内にモータ、電池及び導電バネ片が設けられ、モータの前縁の回転子は偏心状を呈し、後側が電池の一つの極と接触し、導電バネ片の一端が電池のもう一つの極と接続され、導電バネ片のもう一端が絶縁片に跨置されてモータのケースと未接触とされ、絶縁片の一端の押し棒が内向きに押される時、絶縁片がモータのもう一つの極に接触して電源を起動し、電動リングを振動させるよう形成されたことを特徴とする、電動式男性機能補助リングとしている。
請求項２の考案は、請求項１記載の電動式男性機能補助リングにおいて、電動リングを単独で、或いはコンドームと組み合わせて使用できることを特徴とする、電動式男性機能補助リングとしている。
【考案の効果】
【０００６】
本考案の電動式男性機能補助リングは、電動リングの一端の振動機構の絶縁片が平時には導電バネ片とモータの接触を遮断し、使用者が絶縁片の一端の押し棒を押すだけで、導電バネ片とモータを接触させて、コンドームに嵌合された電動リングを振動させることができ、男性機能回復を達成することができ、これによりコンドームの使用回数を増すことができ、性病予防の機能を達成する。
【考案を実施するための最良の形態】
【０００７】
図１、２に示されるように、本考案の電動式男性機能補助リングは、円環状の電動リング１００を具え、その一端に外向きに突出するように振動機構１０１が設けられ、該振動機構１０１内に小型モータ１０２、電池１０３及び導電バネ片１０４が設けられている。そのうち小型モータ１０２の前縁の回転子１０２１は偏心状を呈し、回転時に振動機能を発生し、モータ１０２の後端のマイナス極は、電池１０３のプラス極と接触し、導電バネ片１０４の一端は電池１０３のマイナス極と接続され、もう一端は絶縁片１０５に跨置されてモータ１０２のケースと未接触とされる（図２）。絶縁片の一端の押し棒１０５１が内向きに押される時、絶縁片１０４がモータ１０２の外側ケース（プラス極）に接触して電源を起動し、これにより電動リング１００が振動する。
【０００８】
平時に該電動リング１００は直接男性陰茎に装着して使用でき、また、図４に示されるように、電動リング１００はまたコンドーム２００に嵌合して使用することもできる。
【図面の簡単な説明】
【０００９】
【図１】本考案の外観図である。
【図２】本考案の振動機構の構造図である。
【図３】本考案の振動機構の動作表示図である。
【図４】本考案をコンドームに嵌合した状態の外観図である。
【符号の説明】
【００１０】
１００  電動リング              １０１  振動機構        １０２  モータ
１０２１  回転子                １０３  電池            １０４  導電バネ片
１０５  絶縁片                  １０５１  押し棒        ２００  コンドーム
【図１】
0003101145.tif 000003
【図２】
0003101145.tif 000004
【図３】
0003101145.tif 000005
【図４】
0003101145.tif 000006
(57)【要約】
【課題】    揮発性の高い製品貯蔵施設内や不法貯蔵現場への立ち入り検査および調査作業時に、消防隊員や警察官が着用する作業服・作業用ベルトでは、金具の接触による火花と、作業服やベルトに帯電する静電気の放電時の火花による爆発誘引の可能性があった。よって、作業者が着用する防爆対策服と併せて使用する防爆型作業用ベルトを提供する。
【解決手段】  略角枠状のバックル環体１の一辺軸状部２に、２本のピン３，３の基端部を遊回動自在に取り付け、該ピン３，３の中間部を橋絡４すると共に、前記軸状部２にベルト取付金具５の巻付端６を遊回動自在に取り付けて成る真鍮材料を用いたバックル７と、合成繊維製の細幅織りベルト内に導電性繊維を織り込んだベルト８とを結合したものである。
【選択図】        図１
0003101168.tif 000002
【実用新案登録請求の範囲】
【請求項１】
略角枠状のバックル環体１の一辺軸状部２に、２本のピン３，３の基端部を遊回動自在に取り付け、該ピン３，３の中間部を橋絡４すると共に、前記軸状部２にベルト取付金具５の巻付端６を遊回動自在に取り付けて成る真鍮材料を用いたバックル７と、
合成繊維製の細幅織りベルト内に導電性繊維を織り込んだベルト８とを結合し、金具の接触による火花と、作業者に帯電する静電気の放電時の火花を防止し、該火花に起因する爆発事故を防止することを特徴とする防爆型作業用ベルト。
【考案の詳細な説明】
【技術分野】
【０００１】
本願は揮発性の高い製品貯蔵施設内や不法貯蔵現場への立ち入り検査および調査作業時に着用する防爆型作業用ベルトに関するものである。
【背景技術】
【０００２】
従来、揮発性の高い製品貯蔵施設内や不法貯蔵現場への立ち入り検査および調査作業時の作業者（ここで言う作業者とは、消防隊員・警察官等である）は、特別な装備をせずに現場に入るため、様々な課題が生じていた。その主な要因は帯電・放電に起因するものであった。
【０００３】
従来、送電線鉄塔上で作業する際に使用するものとして、実公昭５９−８４０２号公報に開示したものがある。
これは、送電線鉄塔にいる作業者の身体に電荷が誘導され、作業者が鉄塔あるいは架空地線を手で触れると放電し、電撃ショックを受け、手を離して墜落したり、手に持っている工具・附属品を落下させ２次災害の発生を防止するために、導電作業服と併せて使用する導電柱上安全帯がある。
【０００４】
また、以前より石油プラントの貯蔵タンクの清掃作業、アルミ粉塵の中での作業等、引火・爆発のおそれがある場所での作業には、バックル・フック・ロープ連結環等の金属部分にベリリウム銅・銅合金を、またベルト・ロープには導電性繊維を織り込み、金属部分の接触による火花の発生・人体に静電気が帯電すると火花を伴った放電が発生するため、それを防止する防爆・帯電防止型の高所作業用安全帯があり使用されている。
【０００５】
以上の様に、各職種に応じた防爆型安全帯が考案され使用されているが、前記したものは、高所作業時に使用する墜落防止用の安全帯であり、高所作業を伴わない地上での作業服用のベルトに防爆対策のものは無かった。
【特許文献１】実公昭５９−８４０２号公報
【考案の開示】
【考案が解決しようとする課題】
【０００６】
前記した様に、従来のような高所作業は伴わないが、引火爆発の危険性のある現場への出動に際し、消防隊員や警察官が着用する防爆対策服と併せて使用する防爆型作業用ベルトの要望が出てきた。
よって、防爆型作業用ベルトに要求される性能としては、金属部分の接触による火花の発生防止、人体に静電気が帯電し、タンク等に触れると火花を伴った放電が発生するため、その静電気を逃がすことができるものでなければならない。    
【課題を解決するための手段】
【０００７】
以上のような課題を解決するため、本願では消防隊員や警察官が着用する防爆対策服の作業用ズボンに着用するベルトを防爆型とし、不本意に爆発事故を誘発しない作業用ベルトを提供するものである。
具体的には、バックル等の金属部分に真鍮やベリリウム銅合金のような金属同士の接触時に火花を発生しない金属を用いると共に、ベルト部分は、合成繊維製の細幅織りベルト内に導電性繊維を織り込んだベルトを用いたものである。
【考案の効果】
【０００８】
以上のように、本願の防爆型作業用ベルトを使用することにより、金具の接触による火花と、作業者に帯電する静電気の放電時の火花を防止し、該火花に起因する不本意な爆発事故を防止することができる。
また、使用に際して、特別な使用方法はなく、普通のベルトと同様に簡単容易に扱うことができる。
また、バックルに２本のピン型として、安定した電気的導通を図ると共に、強度的にも高強度を得たものである。
【実施例】
【０００９】
本願の実施例を詳記する。本防爆型作業用ベルトは、図に示すように、略角枠状のバックル環体１の一辺軸状部２に、２本のピン３，３の基端部を遊回動自在に取り付け、該ピン３，３の中間部を橋絡４すると共に、前記軸状部２にベルト取付金具５の巻付端６を遊回動自在に取り付けて成る真鍮材料を用いたバックル７と、
合成繊維製の細幅織りベルト内に導電性繊維を織り込んだベルト８とを結合し、金具の接触による火花と、作業者に帯電する静電気の放電時の火花を防止し、該火花に起因する爆発事故を防止する機能を有するものである。
【００１０】
金属部分のバックル７は、前記したようにバックル環体１・ピン３・ベルト取付金具５全て真鍮製である。また、ベルト８部のピン３の挿通孔には、同じく真鍮製のハトメ９を用いたものである。
ハトメは、１４個程度とし、作業服に帯電した静電気を逃がすために多く設けている。
【００１１】
ベルト８は、ナイロン繊維を用い、そこに３本の導電性繊維（サンダーロン：登録商標）を表裏に現れるように織込んだものであり、除電性能を有したものである。
この繊維は完全に除電できるものではないが、電撃、引火の発生を防止できる程度に除電することができるものである。
また、寸法は、厚み２．３ｍｍ・幅４８．５ｍｍの細幅織りベルトであり、バックルを含む仕上がり寸法は１、２メートル程とし、作業者の胴の長さに合わせて切断し、使用するものである。
【００１２】
本願の防爆型作業用ベルトは、作業ズボンのベルト通しに挿通するだけでよく、特別な使用方法はなく、普通のベルトと同じように簡単容易に取付けることができるものである。
【図面の簡単な説明】
【００１３】
【図１】本願防爆型作業用ベルトの使用状態正面図。
【図２】本願防爆型作業用ベルトの正面図。
【図３】本願バックル部の斜視図。
【図４】本願バックル部の正面図。
【図５】本願バックル部の底面図。
【符号の説明】
【００１４】
１  バックル環体
２  軸状部
３  ピン
４  橋絡
５  ベルト取付金具
６  巻付端
７  バックル
８  ベルト
９  ハトメ
【図１】
0003101168.tif 000003
【図２】
0003101168.tif 000004
【図３】
0003101168.tif 000005
【図４】
0003101168.tif 000006
【図５】
0003101168.tif 000007
(57)【要約】
【課題】下ろし金や擂り鉢の凹凸部に残存した微細な食材を無駄なく回収することのできる回収具を提供することを課題とする。
【解決手段】本考案に係る微細残存食材回収具は、下ろし金Ｐや擂り鉢の凹凸部Ｃに残存した微細な食材を回収する回収具であって、手Ｈで握り持つ把持部１の先端部に、細い多数のステンレス製線材を熊手状に束ね、その先端部を斜め下方に鈍角に折曲げて掻取り部２ａとした回収本体部２を設けて構成してある。下ろし金Ｐの凹凸部Ｃに残存している摺り下ろし後の微細な食材（大根等）を回収するためには、手Ｈで把持部１を持って手前に引き、回収本体部２の掻取り部２ａの先端で凹凸部Ｃを撫でる。この際、掻取り部２ａは細い線材で構成されているので、凹凸部Ｃに容易に入り込み、残存している微細食材を効果的に掻き出す。
【選択図】      図２
0003101163.tif 000002
【実用新案登録請求の範囲】
【請求項１】
下ろし金（Ｐ）や擂り鉢の凹凸部（Ｃ）に残存した微細な食材を回収する回収具であって、手（Ｈ）で握り持つ把持部（１）の先端部に，細い多数のステンレス製線材を熊手状に束ね，その先端部を斜め下方に鈍角に折曲げて掻取り部（２ａ）とした回収本体部（２）を設けてなる微細残存食材回収具。
【考案の詳細な説明】
【技術分野】
【０００１】
本考案は、下ろし金や擂り鉢の凹凸部に残存した微細な食材を無駄なく回収することのできる回収具に関するものである。
【背景技術】
【０００２】
従来から、大根やワサビ等を摺り下ろすために下ろし金が使用され、胡麻等を摺り砕くために擂り鉢が使用されている。この下ろし金や擂り鉢は、共に、表面に無数の凹凸部を設け、その凹凸部によって大根等の食材を摺り下ろし、あるいは摺り砕いている。
【考案の開示】
【考案が解決しようとする課題】
【０００３】
しかし、この従来の下ろし金や擂り鉢は、摺り下ろしたり摺り砕いた食材が、凹凸部に残存し、食材を無駄にしてしまうといった問題がある。
【０００４】
本考案はこうした問題に鑑み創案されたもので、下ろし金や擂り鉢の凹凸部に残存した微細な食材を無駄なく回収することのできる回収具を提供することを課題とする。
【課題を解決するための手段】
【０００５】
図１乃至図３を参照して説明する。本考案に係る微細残存食材回収具は、下ろし金Ｐや擂り鉢の凹凸部Ｃに残存した微細な食材を回収する回収具であって、手Ｈで握り持つ把持部１の先端部に、細い多数のステンレス製線材を熊手状に束ね、その先端部を斜め下方に鈍角に折曲げて掻取り部２ａとした回収本体部２を設けてなるものである。
【考案の効果】
【０００６】
本考案に係る微細残存食材回収具は、把持部１の先端部に熊手状の回収本体部２を設け、その回収本体部２は細いステンレス製線材を熊手状に束ねて構成したものであり、かつ、その先端部は斜め下方に向けて鈍角に折曲げた掻取り部２ａとしているので、下ろし金Ｐや擂り鉢の凹凸部Ｃに残存している微細な食材を無駄なく回収することができる。
【０００７】
すなわち、手Ｈで把持部１を持って、手前に引きながら、掻取り部２ａの先端で下ろし金Ｐ等の凹凸部Ｃを撫でるように移動させ、これによって、当該凹凸部Ｃに入り込んでいる微細な食材を掻き出すことができる。このとき、掻取り部２ａは細いステンレス製線材で構成されているので、凹凸部Ｃに容易に入り込むことができると共に、優れた撓み性と高い剛性を有するので、食材を効率的に掻き出すことができる。また、この掻取り部２ａは斜め下方に鈍角に傾斜しているので、凹凸部Ｃに、掻き出しに適した角度で侵入することができる。従って、食材をより効果的に掻き出すことができる。
【考案を実施するための最良の形態】
【０００８】
本考案に係る微細残存食材回収具の実施形態を、図１および図３に示す。これは、下ろし金Ｐの凹凸部Ｃに残存した、摺り下ろし後の大根やワサビといった微細な食材を回収する回収具であり、陶器製把持部１と回収本体部２とで構成される。
【０００９】
把持部１は、片方の手Ｈで握り持つ長尺状部分であり、陶器、金属、木材あるいは樹脂などで構成することができる。回収本体部２は、把持部１の先端部に設けられるもので、細い多数のステンレス製線材を熊手状に束ねて形成し、その先端部を斜め下方に鈍角に折曲げて掻取り部２ａとしている。
【００１０】
この微細残存食材回収具は次のようにして使用する。例えば、下ろし金Ｐの凹凸部Ｃに残存している摺り下ろし後の微細な食材（大根等）を回収するためには、手Ｈで把持部１を持って手前に引き、回収本体部２の掻取り部２ａの先端で凹凸部Ｃを撫でる。この際、掻取り部２ａは細い線材で構成されているので、凹凸部Ｃに容易に入り込み、残存している微細食材を効果的に掻き出す。
【００１１】
なお、この線材はステンレス製であるので撓み性と剛性に優れ、折り曲がることなく長期にわたる使用に耐えることができる。また、掻取り部２ａは斜め下方に鈍角に折曲げられているので、把持部１を持って手前に引くことにより、掻取り部２ａの先端が掻き出しに適した角度で凹凸部Ｃに侵入し、微細な食材を効果的に掻き出す。従って、凹凸部Ｃに残存している微細な食材を、無駄なく回収することができる。
【産業上の利用可能性】
【００１２】
本考案に係る微細残存食材回収具は、下ろし金や擂り鉢のみでなく、凹凸部を有する他の摺り器にも使用することができる。
【図面の簡単な説明】
【００１３】
【図１】本考案に係る微細残存食材回収具の実施形態を示す平面図である。
【図２】図１に示す回収具の側面図である。
【図３】図１に示す回収具の使用状態を示す平面図である。
【符号の説明】
【００１４】
１      把持部
２      回収本体部
２ａ    掻取り部
Ｃ      凹凸部
Ｈ      手
Ｐ      下ろし金
【図１】
0003101163.tif 000003
【図２】
0003101163.tif 000004
【図３】
0003101163.tif 000005